(57)【特許請求の範囲】
【請求項１】
撮影画像を複数の領域に分割して処理する画像処理装置であって、
前記撮影画像を入力する入力部と、
前記撮影画像から所定の画像パターン条件を満たした注目部位を検出する検出部と、
前記撮影画像から前記注目部位が含まれる注目領域を抽出して部分画像を生成する生成部と、
前記部分画像と前記撮影画像とに異なる画面出力形式を割り当て、対応し合う前記部分画像と前記撮影画像に含まれる前記注目領域とに同じ外枠を設けることによって対応関係を示す出力データを生成する出力データ処理部と、
前記出力データを出力する出力部と
を備える画像処理装置。
【請求項２】
前記撮影画像および前記部分画像に対してファイル名を与え、前記撮影画像および前記部分画像のファイル名によって前記撮影画像と前記部分画像とを対応付ける画像関連情報を生成する画像関連情報生成部をさらに備え、
前記出力データ処理部は、前記画像関連情報に基づいた前記画面出力形式で前記出力データを生成する請求項１に記載の画像処理装置。
【請求項３】
前記生成部は、前記注目領域を拡大して、前記部分画像を生成する請求項２に記載の画像処理装置。
【請求項４】
前記出力データ処理部は、所定の領域に対して画像の彩度、明度、色相の少なくともひとつに変化を与えることによって、前記所定の領域の前記画面出力形式をそれ以外の領域と異ならせる請求項２または請求項３に記載の画像処理装置。
【請求項５】
前記出力データ処理部は、前記注目領域のうち少なくとも一部にエッジ強調処理を施すことによって、前記注目領域に前記注目領域以外の領域と異なる前記画面出力形式を割り当てる請求項２乃至請求項４のいずれかに記載の画像処理装置。
【請求項６】
前記検出部は、前記撮影画像から複数の前記注目部位を検出し、
前記生成部は、複数の前記注目部位を含む複数の前記注目領域を抽出して複数の前記部分画像を生成し、
前記画像関連情報生成部は、複数の前記部分画像および前記撮影画像に対してファイル名を与え、複数の前記部分画像および前記撮影画像のファイル名を前記部分画像および前記撮影画像の対応関係に基づいて画像関連情報に含める請求項２乃至請求項５のいずれかに記載の画像処理装置。
【請求項７】
所望の前記注目部位を選択する注目部位選択部をさらに備え、
前記出力データ処理部は、選択された前記注目部位の前記撮影画像における位置と、前記注目部位が含まれる前記部分画像との対応関係を示す請求項２乃至請求項６のいずれかに記載の画像処理装置。
【請求項８】
所望の前記注目部位を選択する注目部位選択部をさらに備え、
前記出力データ処理部は、選択された前記注目部位が含まれる前記注目領域の前記画面出力形式、または選択された前記注目部位が含まれる前記注目領域以外の領域の前記画面出力形式が、前記選択の前後で変化するよう前記出力データを生成する請求項２乃至請求項６のいずれかに記載の画像処理装置。
【請求項９】
所定の定型書式に前記出力データを入れ込むことによって定型出力データを生成する定型化処理部をさらに備える請求項７または請求項８に記載の画像処理装置。
【請求項１０】
前記撮影画像における前記注目領域の位置情報を抽出する位置抽出部をさらに備え、
前記画像関連情報生成部は、前記位置情報にファイル名を与え、前記画像関連情報に含める請求項９に記載の画像処理装置。
【請求項１１】
前記出力データ処理部は、前記位置情報に基づいた前記画面出力形式で前記出力データを生成する請求項１０に記載の画像処理装置。
【請求項１２】
前記部分画像から文字情報を検出する文字検出部をさらに備え、
前記画像関連情報生成部は、さらに前記文字情報と前記撮影画像とを対応付ける情報を前記画像関連情報として生成する請求項１１に記載の画像処理装置。
【請求項１３】
前記画像関連情報生成部は、さらに前記文字情報にファイル名を与え、前記位置情報および前記文字情報のファイル名によって前記位置情報と前記文字情報とを関連づける前記画像関連情報を生成する請求項１２に記載の画像処理装置。
【請求項１４】
前記撮影画像、前記部分画像、前記位置情報、前記文字情報、及び前記画像関連情報を記録する記録部をさらに備える請求項１２または請求項１３に記載の画像処理装置。
【請求項１５】
前記定型化処理部は、前記文字情報を前記出力データとともに前記定型書式に入れ込む請求項１２乃至請求項１４のいずれかに記載の画像処理装置。
【請求項１６】
前記入力部は、前記撮影画像を走査して、デジタルデータを生成する手段をさらに備え、
前記デジタルデータが前記検出部へ与えられる請求項１２乃至請求項１５のいずれかに記載の画像処理装置。
【請求項１７】
撮影画像を複数の領域に分割して処理する画像処理方法であって、
前記撮影画像を入力する段階と、
前記撮影画像から所定の画像パターン条件を満たした注目部位を検出する段階と、
前記撮影画像から前記注目部位が含まれる注目領域を抽出して部分画像を生成する段階と、
前記部分画像と前記撮影画像とに異なる画面出力形式を割り当て、対応し合う前記部分画像と前記撮影画像に含まれる前記注目領域とに同じ外枠を設けることによって対応関係を示す出力データを生成する段階と、
前記出力データを出力する段階と
を備える画像処理方法。
【請求項１８】
前記撮影画像および前記部分画像に対してファイル名を与え、前記撮影画像および前記部分画像のファイル名によって前記撮影画像と前記部分画像とを対応付ける画像関連情報を生成する段階をさらに備え、
前記出力データを生成する段階は、前記画像関連情報に基づいた前記画面出力形式で前記出力データを生成する請求項１７に記載の画像処理方法。
【請求項１９】
所望の前記注目部位を選択する段階をさらに備え、
前記出力データを生成する段階は、選択された前記注目部位の前記撮影画像における位置と、前記注目部位が含まれる前記部分画像との対応関係を示す請求項１８に記載の画像処理方法。
【請求項２０】
所望の前記注目部位を選択する段階をさらに備え、
前記出力データを生成する段階は、選択された前記注目部位が含まれる前記注目領域の前記画面出力形式、または選択された前記注目部位が含まれる前記注目領域以外の領域の前記画面出力形式が、前記選択の前後で変化するよう前記出力データを生成する請求項１８に記載の画像処理方法。
【請求項２１】
前記撮影画像における前記注目領域の位置情報を抽出する段階をさらに備え、
前記画像関連情報を生成する段階は、前記位置情報にファイル名を与え、前記画像関連情報に含める請求項１８乃至請求項２０のいずれかに記載の画像処理方法。
【請求項２２】
撮影画像を複数の領域に分割して処理する画像処理装置用のプログラムを記録したコンピュータ読み取り可能な記録媒体であって、
前記画像処理装置を、
前記撮影画像を入力する入力部、
前記撮影画像から所定の画像パターン条件を満たした注目部位を検出する検出部、
前記撮影画像から前記注目部位が含まれる注目領域を抽出して部分画像を生成する生成部、
前記部分画像と前記撮影画像とに異なる画面出力形式を割り当て、対応し合う前記部分画像と前記撮影画像に含まれる注目領域とに同じ外枠を設けることによって対応関係を示す出力データを生成する出力データ処理部、
前記出力データを出力する出力部
として機能させるプログラムを記録したコンピュータ読み取り可能な記録媒体。
【請求項２３】
前記画像処理装置を、
前記撮影画像および前記部分画像に対してファイル名を与え、前記撮影画像および前記部分画像のファイル名によって前記撮影画像と前記部分画像とを対応付ける画像関連情報を生成する画像関連情報生成部、
としてさらに機能させ、
前記出力データ処理部は、前記画像関連情報に基づいた前記画面出力形式で前記出力データを生成する請求項２２に記載のプログラムを記録したコンピュータ読み取り可能な記録媒体。
【請求項２４】
前記画像処理装置を、
所望の前記注目部位を選択する注目部位選択部、
としてさらに機能させ、
前記出力データ処理部は、選択された前記注目部位の前記撮影画像における位置と、前記注目部位が含まれる前記部分画像との対応関係を示す請求項２３に記載のプログラムを記録したコンピュータ読み取り可能な記録媒体。
【請求項２５】
前記画像処理装置を、
所望の前記注目部位を選択する注目部位選択部、
としてさらに機能させ、
前記出力データ処理部は、選択された前記注目部位が含まれる前記注目領域の前記画面出力形式、または選択された前記注目部位が含まれる前記注目領域以外の領域の前記画面出力形式が、前記選択の前後で変化するよう前記出力データを生成する請求項２３に記載のプログラムを記録したコンピュータ読み取り可能な記録媒体。
【請求項２６】
前記画像処理装置を、
前記撮影画像における前記注目領域の位置情報を抽出する位置抽出部、
としてさらに機能させ、
前記画像関連情報生成部は、前記位置情報にファイル名を与え、前記画像関連情報に含める請求項２３乃至請求項２５のいずれかに記載のプログラムを記録したコンピュータ読み取り可能な記録媒体。
【発明の詳細な説明】
【０００１】
【発明の属する技術分野】
本発明は、画像処理装置に関し、特に、撮影画像における特定の注目部位と他の領域とに異なる画像処理を施して出力する画像処理装置に関する。
【０００２】
【従来の技術】
従来、画像から画像パターンを認識する方法として、特開平１０−３０２０７４号（公開日平成１０年１１月１３日）は、ナンバープレートの位置検出装置における、画像処理の方法を開示している。また、特開平５−４６７４４号（公開日平成５年２月２６日）は計測対象物を含む画像から計測領域を指定するためのウインドウを自動生成するための画像処理装置を開示している。さらに、特開平６−３１１４２５号（公開日平成６年１１月４日）は、撮影に使用されたレンズの収差特性に応じて、画質の劣化を補正する装置を開示している。
【０００３】
従来、目前にある複数の被写体に対しそれぞれ個別の写真を得たい場合、得たい写真ごとに撮影を行っていた。また、複数の被写体をそれぞれ撮影し、さらにこれら複数の被写体を一枚の全体写真として得たい場合、全体と一部とを別々に撮影していた。例えば、工事写真の場合、全体写真を撮った後、出来高を証明するために必要な部分を全体写真とは別に拡大写真として撮影し、全体写真と部分拡大写真とを一緒にして発注者に提出していた。
【０００４】
【発明が解決しようとする課題】
しかし、多数の写真を得たい場合に写真の数だけ撮影するのは多大な労力を要するので、例えば、工事写真においては、全体写真を１枚撮れば、必要な複数の部分写真を自動的に撮影できる技術の実現が望まれていた。また、工事写真のように写真枚数が多数になると、写真同士の対応関係が複雑になるので、写真の管理や検索に手間がかかっていた。撮影者は写真を撮影する度に写真の対応関係をメモする場合が多いが、メモを紛失したりメモを書き忘れたりすると、アルバム作成が困難となっていた。
【０００５】
そこで本発明は、上記の課題を解決することのできる撮影装置、撮影方法、及び記録媒体を提供することを目的とする。この目的は特許請求の範囲における独立項に記載の特徴の組み合わせにより達成される。また従属項は本発明のさらなる有利な具体例を規定する。
【０００６】
【課題を解決するための手段】
上記課題を解決するために、本発明の第１の実施形態においては、撮影画像を複数の領域に分割して処理する画像処理装置であって、前記撮影画像を入力する入力部と、前記撮影画像から所定の画像パターン条件を満たした注目部位を検出する検出部と、前記注目部位が含まれる注目領域と前記注目領域以外の領域とに異なる画面出力形式を割り当てて出力データを生成する出力データ処理部と、前記出力データを出力する出力部とを備える。
【０００７】
前記撮影画像から前記注目領域を抽出して部分画像を生成する生成部をさらに備え、前記出力データ処理部は、前記撮影画像と前記部分画像をそれぞれ出力してもよい。
【０００８】
前記撮影画像と前記部分画像に対してファイル名を与え、前記撮影画像と前記部分画像のファイル名によって前記撮影画像と前記部分画像とを対応付ける画像関連情報を生成する画像関連情報生成部をさらに備え、前記出力データ処理部は、前記画像関連情報に基づいた前記画面出力形式で前記出力データを生成してもよい。前記生成部は、前記注目領域を拡大して、前記部分画像を生成してもよい。
【０００９】
前記出力データ処理部は、所定の領域に対して画像の彩度、明度、色相の少なくともひとつに変化を与えることによって、前記所定の領域の前記画面出力形式をそれ以外の領域と異ならせてもよい。前記出力データ処理部は、前記注目領域のうち少なくとも一部にエッジ強調処理を施すことによって、前記注目領域に前記注目領域以外の領域と異なる出力画面形式を割り当ててもよい。
【００１０】
前記検出部は、前記撮影画像から複数の前記注目部位を検出し、前記生成部は、複数の前記注目部位を含む複数の前記注目領域を抽出して複数の前記部分画像を生成し、前記関連情報生成部は、複数の前記部分画像と前記撮影画像に対してファイル名を与え、複数の前記部分画像と前記撮影画像のファイル名を前記部分画像と前記撮影画像の対応関係に基づいて画像関連情報に含めてもよい。前記出力データ処理部は、対応し合う前記部分画像と前記撮影画像に含まれる前記注目領域とに同じ外枠を設けることによって前記対応関係を示してもよい。所望の前記注目部位を選択する注目部位選択部をさらに備え、前記出力データ処理部は、選択された前記注目部位の対応関係を示してもよい。
【００１１】
所望の前記注目部位を選択する注目部位選択部をさらに備え、前記出力データ処理部は、選択された前記注目部位が含まれる前記注目領域の前記画面出力形式、または選択された前記注目部位が含まれる前記注目領域以外の領域の前記画面出力形式が、前記選択の前後で変化するよう前記出力データを生成してもよい。所定の定型書式に前記出力データを入れ込むことによって定型出力データを生成する定型化処理部をさらに備えてもよい。
【００１２】
前記撮影画像における前記注目領域の位置情報を抽出する位置抽出部をさらに備え、前記関連情報生成部は、前記位置情報にファイル名を与え、前記画像関連情報に含めてもよい。前記出力処理部は、前記位置情報に基づいた前記画面出力形式で前記出力データを生成してもよい。
【００１３】
前記部分画像から文字情報を検出する文字検出部をさらに備え、前記関連情報生成部は、さらに前記文字情報と前記撮影画像とを対応付ける情報を前記画像関連情報として生成してもよい。記関連情報生成部は、さらにを前記文字情報にファイル名を与え、前記位置情報と前記文字情報のファイル名とによって前記位置情報と前記文字情報を関連づける前記画像関連情報を生成してもよい。
【００１４】
前記撮影画像、部分画像、位置情報、文字情報、及び前記画像関連情報を記録する記録部をさらに備えてもよい。前記定型化処理部は、前記文字情報を前記出力データとともに前記定型書式に入れ込んでもよい。前記入力部は、前記撮影画像を走査して、デジタルデータを生成する手段をさらに備え、前記デジタルデータが前記検出部へ与えられてもよい。
【００１５】
本発明の第２の実施形態においては、撮影画像を複数の領域に分割して処理する方法であって、撮影画像から所定の画像パターン条件を満たした注目部位を検出する段階と、注目領域と注目領域以外の領域とに異なる画面出力形式を割り当てて出力データを生成する段階と、前記出力データを出力する段階とを備えてもよい。
【００１６】
本発明の第３の実施形態においては、撮影画像を複数の領域に分割して処理するプログラムを記録したコンピュータ読み取り可能な記録媒体であって、前記プログラムが、前記コンピュータに働きかけて、撮影画像から所定の画像パターン条件を満たした注目部位を検出するモジュールと、前記コンピュータに働きかけて、注目領域と注目領域以外の領域とに異なる画面出力形式を割り当てて出力データを生成するモジュールと、前記コンピュータに働きかけて、前記出力データを出力するモジュールとを備えてもよい。
【００１７】
【発明の実施の形態】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１８】
以下、本発明を工事現場の写真画像の撮影に用いた実施形態を説明する。本実施形態においては、全体写真（撮影画像）から出来高を証明するために必要な被写体を自動的に検出し、この被写体を部分拡大写真（部分画像）を生成する。そして、撮影画像と部分画像とが対応する画像であることを示す画像関連情報を生成する。工事写真において、出来高を証明するために必要な被写体としては、例えば物の高さや距離の測定値を表示する定規、又は工事の内容を文字で表示する黒板等が考えられる。
【００１９】
図１に沿って本発明の第１実施形態を説明する。図１は、画像処理装置５００の一例としての、写真画像の現像や編集等をするラボシステムの構成図である。この画像処理装置５００は、入力部１０と処理部２０と注目部位選択部２５と記録部４０と出力部５０とを備える。
【００２０】
入力部１０は、画像処理装置５００に撮影画像６０を入力する。銀塩カメラで撮影された画像を画像入力装置に入力する場合、または絵画や印刷物等を入力する場合は、入力部１０には、画像を光学的に走査して電気信号に変換するスキャナが用いられる。デジタルカメラで撮影されたデジタル画像を画像処理装置５００に入力する場合、入力部１０には、入力するデジタル画像を格納した記録媒体に応じた各種読取装置が用いられる。例えば、入力部１０には、不揮発性の半導体メモリカード等の着脱自在な記録媒体から画像データを読み取るための読取装置等が用いられる。また、フロッピーディスク、ＭＯ、ＣＤ−ＲＯＭ等から画像データを読み取る場合は、入力部１０としてそれぞれフロッピードライブ、ＭＯドライブ、ＣＤドライブ等が用いられてもよい。
【００２１】
処理部２０は、入力部１０から受け取った撮影画像６０から、所定の画像パターンを有する注目部位を検出する。ここで注目部位とは、撮影画像６０の中に写る各被写体のうち、部分画像６２として抽出しようとする被写体を示す。本実施形態においては、工事写真から抽出しようとする定規や黒板が注目部位である。処理部２０は、撮影画像６０を記録部４０と出力部５０とに出力する。
【００２２】
注目部位選択部２５は、所望の注目部位を選択する。ラボシステムの操作者が注目部位選択部２５を介して注目部位を選択した場合、処理部２０は、選択された注目部位を記録部４０と出力部５０とに出力する。注目部位選択部２５は、例えば、マウス等のポインティングデバイスであってもよい。
【００２３】
記録部４０は、処理部２０から受け取った画像等を着脱自在な記録媒体に記録する。記録媒体としては、書き込み可能なＣＤ、ＤＶＤ等の光記録媒体や、ＭＯ等の光磁気記録媒体、フロッピーディスク等の磁気記録媒体等が考えられる。記録部４０としては、ＣＤ−Ｒドライブ、ＤＶＤドライブ、ＭＯドライブ、フロッピードライブ等が用いられる。なお、記録部４０は、半導体メモリ等の記憶装置に画像等を記録してもよい。また、記録部４０は、フイルム面に磁気記録層を備えたＡＰＳ（Advanced Photo System）フイルムの磁気記録層に関連情報等を磁気的に記録してもよい。この場合、記録部４０にフイルム装填部を設けてもよい。また記録部４０は、一旦記録した画像等を処理部２０に出力してもよい。
【００２４】
出力部５０は、処理部２０から受け取った画像等を出力する。例えば画像を画面表示する場合、出力部５０には画像を表示するモニタが用いられる。また例えば画像を印刷する場合、出力部５０にはデジタルプリンタやレーザプリンタ等のプリンタが用いられる。
【００２５】
図２は、処理部２０の機能ブロック図である。処理部２０は、検出部１００とパターン条件記憶部１０２と生成部１０３と位置抽出部１１６と文字検出部１１４と画像関連情報生成部１１２と出力データ処理部１２０と定型化処理部１２２とテンプレート記憶部１２４とを有する。検出部１００は、入力部１０より受け取った撮影画像６０から、パターン条件記憶部１０２より受け取る所定の画像パターン条件を満たした注目部位を検出する。パターン条件記憶部１０２は、所定の画像を認識するためのパターン条件を記憶する。
【００２６】
なお、パターン条件記憶部１０２に記憶させる画像パターン条件は、所定の設定手段により設定し又は変更することができる。また、パターン条件記憶部１０２に記憶させる画像パターン条件を、データを送受信する所定の通信手段によって設定し又は変更してもよい。
【００２７】
生成部１０３は、撮影画像６０から注目部位が含まれる注目領域を抽出して、部分画像６２を生成する。ここで生成部１０３は、注目部位が含まれる領域を拡大して部分画像６２を生成してもよい。また生成部１０３は、注目部位が所定の割合の大きさで含まれる領域を抽出してもよい。
【００２８】
位置抽出部１１６は、撮影画像６０における部分画像６２の位置情報３１２を生成する。例えば注目部位が含まれる矩形領域の撮影画像６０における位置を示す場合、相対する２つの頂点の座標を位置情報３１２として生成する。
【００２９】
出力部５０は位置情報３１２をモニタ画面に表示させてもよい。例えば、出力部５０が撮影画像６０と部分画像６２とを画面に表示するときに、出力部５０は部分画像６２の撮影画像６０における位置情報３１２として座標の数値をさらにモニタ画面に表示する。また例えば、出力部５０は、部分画像６２の撮影画像６０における位置情報３１２に基づいて、部分画像６２として抽出された矩形領域を撮影画像６０の中に破線表示させてもよい。
【００３０】
このように、出力部５０が位置情報３１２をモニタ画面に出力するので、ラボシステムの操作者は、部分画像６２が撮影画像６０のどの部分を抽出したものであるかをモニタ画面上で確認することができる。
【００３１】
文字検出部１１４は、生成部１０３が生成した部分画像６２から文字情報３１６を検出する。例えば、部分画像６２が黒板の画像を含む場合、文字検出部１１４は、黒板に表示された文字の画像を認識し、その文字を示す文字コードが含まれる文字情報３１６を生成する。文字情報３１６は記録部４０により記録媒体に記録される。また、文字検出部１１４は撮影画像６０から文字情報３１６を検出してもよい。
【００３２】
このように、文字検出部１１４が文字情報３１６を検出し、文字情報３１６を記録部４０が記録媒体に記録するので、撮影画像６０及び部分画像６２の閲覧者は、これらの画像が撮影された状況に関する情報を容易に得ることができる。さらに、文字検出部１１４に、検出され得る文字列の画像パターンと文字コードのみを記憶させておくことにより、文字検出部１１４の文字認識率を高めることができる。
【００３３】
画像関連情報生成部１１２は、撮影画像６０と位置情報３１２にファイル名を与え、撮影画像６０と位置情報３１２のファイル名を関連づける。さらに関連づけられた撮影画像６０と位置情報３１２のファイル名を含む画像関連情報３２０を生成し、記録部４０に記録させる。画像関連情報３２０に含まれるファイル名によって撮影画像６０と部分画像６２との対応関係が特定される。
【００３４】
画像関連情報生成部１１２は、さらに検出部１００が撮影画像６０から注目部位を検出しなかった場合には、検出しなかったことを示す情報を含む画像関連情報３２０を生成し、記録部４０に記録させる。
【００３５】
また、画像関連情報生成部１１２は、撮影画像６０、部分画像６２、位置情報３１２及び文字情報３１６にそれぞれファイル名を与え、撮影画像６０、部分画像６２、位置情報３１２及び文字情報３１６のファイル名を関連付けて画像関連情報３２０に含めてもよい。
【００３６】
このように、画像関連情報生成部１１２が、撮影画像６０、部分画像６２、位置情報３１２、文字情報３１６のファイル名を含む画像関連情報３２０を生成するので、撮影画像６０及び部分画像６２の閲覧者は、画像関連情報３２０を利用して撮影画像６０と部分画像６２との対応関係を容易に把握することができる。
【００３７】
出力データ処理部１２０は、記録部４０によって記録媒体に記録された画像関連情報３２０を利用して、撮影画像６０、部分画像６２、位置情報３１２、及び文字情報３１６のうち所定の情報を取り込む。出力データ処理部１２０は、取り込んだ画像に対して所定の画面出力処理を行って出力部５０に出力する。出力データ処理部１２０は、撮影画像６０と部分画像６２とに異なる画面出力形式を割り当ててもよい。
【００３８】
注目部位選択部２５が所望の注目部位を選択した場合、出力データ処理部１２０は、選択された注目部位が示されるように画面を変化させ、さらに選択が解除されると注目部位の画像を選択される前の状態に戻す。
【００３９】
また、注目部位選択部２５によって、所望の前記注目部位が選択された場合、出力データ処理部１２０は、選択された注目部位を含む部分画像６２と撮影画像６０における注目部位の双方に対して同じ処理を施す。これにより選択された注目部位の撮影画像６０における位置と、選択された注目部位が含まれる部分画像６２とを示してもよい。
【００４０】
定型化処理部１２２は、テンプレート記憶部１２４より所定の定形書式を受け取り、画像関連情報３２０を利用して記録部４０より受け取った撮影画像６０と部分画像６２とを定形書式に入れ込むことによって、定型出力データを生成する。定型化処理部１２２は、更に文字情報３１６を定形書式に入れ込んでもよい。
【００４１】
出力部５０は、定型化処理部１２２で生成された定型出力データを印刷物として出力する。また、定型出力データを記録部４０に記録させてもよい。
【００４２】
図３（Ａ）は、本実施形態における撮影画像６０、部分画像６２、位置情報３１２、文字情報３１６、及び画像関連情報３２０の対応関係の一例を示す。この例では、撮影画像６０が入力部１０から入力される。部分画像６２としては、部分画像６２ａ〜６２ｃが生成部１０３により生成され、位置情報３１２ａ〜３１２ｃが位置抽出部１１６により生成され、文字情報３１６ａ〜３１６ｃが文字検出部１１４により生成されている。この場合、画像関連情報生成部１１２は、画像関連情報３２０に、撮影画像６０、部分画像６２ａ〜６２ｃ、位置情報３１２ａ〜ｄ、文字情報３１６ａ〜ｄのファイル名を示す情報を含めて記録部４０に記録させる。
【００４３】
図３（Ｂ）は、画像関連情報３２０の対応関係の他の例を示す。この例では、撮影画像６０からは部分画像６２が抽出されないので、画像関連情報３２０には撮影画像６０のファイル名を示す情報のみが含められる。
【００４４】
図４に、出力部５０によって出力された工事写真の例を示す。工事写真の場合、工事写真７０が撮影画像６０に、定規写真７２ａ〜７２ｃと黒板写真７２ｄとが部分画像６２にあたる。
【００４５】
生成部１０３は、破線７４ａ〜７４ｃ、及び７４ｄで囲まれた定規及び黒板を含む領域から定規写真７２ａ〜７２ｃ及び黒板写真７２ｄを生成する。出力データ処理部１２０は、注目領域６４のうち、少なくとも一部にエッジ強調を施してもよい。例えば図４に示す黒板写真７２ｄにおいては、出力データ処理部１２０が、黒板写真７２ｄに書かれた実線、文字及び輪郭に対してエッジ強調処理を施しているので、閲覧者は容易に目盛りを読みとることができる。
【００４６】
図５は、図４に示した黒板写真７２ｄの画面出力形式の一例を示す。出力データ処理部１２０が、黒板の色を変化させる画面処理を行っている。これにより、文字の認識が容易になっている。このように、出力データ処理部１２０は、所定の領域において、彩度、明度、色相のうち、少なくともひとつを変化させて画面に出力してもよい。
【００４７】
図６は、図４に示した黒板写真７２ｄの他の画面出力形式の一例を示す。このように、出力データ処理部１２０は、所定の領域に外枠を付与してもよい。
【００４８】
図７は、処理部２０が撮影画像６０に対して行う画像処理方法を示すフローチャートである。画像処理装置５００が画像処理を開始すると（Ｓ１００）、入力部１０が撮影画像６０を画像処理装置５００に入力する（Ｓ１０２）。次に、検出部１００は、撮影画像６０が画像処理の対象か否かを判断する（Ｓ１０４）。次に、処理部２０は撮影画像６０に対して画像処理を行う（Ｓ１０６）。例えば、撮影画像６０から所定の条件を満たした注目領域６４を取り出して部分画像６２として生成する。また、撮影画像６０における注目領域６４の位置を抽出して、位置情報３１２を生成する。さらに、撮影画像６０又は部分画像６２に含まれる文字を認識して、文字情報３１６を生成する。また、撮影画像６０が撮影画像処理の対象に指定されていない場合は、処理部２０は撮影画像６０に対して画像処理を行わない（Ｓ１０４）。
【００４９】
次に、画像関連情報生成部１１２は撮影画像６０に関する画像関連情報３２０を生成する（Ｓ１０８）。例えば、画像関連情報３２０においては、撮影画像６０、部分画像６２、位置情報３１２、及び文字情報３１６のファイル名を含ませることにより、これらのファイルを関連づけることができる。次に、撮影画像６０及び画像関連情報３２０を記録部４０に記録させる（Ｓ１２０）。入力部１０により入力された複数の撮影画像６０の全てを処理するまでＳ１０４からＳ１２０までの段階を繰り返す（Ｓ１２２）。次に、出力データ処理部１２０は、所定の画像に対して画面出力処理を行い（Ｓ１５０）、記録部４０に記録させる（Ｓ１６０）。記録が完了すると、画像処理装置５００による処理が終了する（Ｓ１８０）。
【００５０】
図７を図４に示した工事写真に基づいて説明する。画像処理装置５００が画像処理を開始すると（Ｓ１００）、入力部１０が工事写真７０を画像処理装置５００に入力する（Ｓ１０２）。次に、検出部１００は、パターン条件記憶部１０２に記憶された定規及び黒板の抽出に必要な条件を基に工事写真７０から定規及び黒板を検出し、画像処理するか否かを判断する。なお、工事写真７０が定規写真及び黒板写真生成の対象に指定されているかどうかを付帯情報として工事写真７０に付帯させておいてもよい。この場合、付帯情報は入力部１０から工事写真７０とともに入力される。また、撮影画像処理の対象である工事写真７０をラボシステムの操作者が、予め、又は操作中に指定してもよい（Ｓ１０４）。工事写真７０が処理の対象に指定されていた場合、工事写真７０から定規写真７２ａ〜７２ｃ、黒板写真７２ｄを生成する。さらに、位置情報３１２及び文字情報３１６を生成する（Ｓ１０６）。工事写真７０が撮影画像処理の対象に指定されていない場合は、処理部２０は定規写真７２ａ〜７２ｃ、黒板写真７２ｄを生成しない。（Ｓ１０４）。
【００５１】
次に、画像関連情報生成部１１２は、工事写真７０及び定規写真７２ａ〜７２ｃ、黒板写真７２ｄと、定規写真７２ａ〜７２ｃ、黒板写真７２ｄそれぞれに関する位置情報３１２及び文字情報３１６とに対してファイル名を付与し、ファイルの対応関係に基づいて全てのファイル名を関連づける。さらに全てのファイル名を含む画像関連情報３２０を生成し（Ｓ１０８）、記録部４０に記録させる（Ｓ１２０）。入力部１０により入力された複数の工事写真７０の全てを処理するまでＳ１０４からＳ１２０までの段階を繰り返す（Ｓ１２２）。
【００５２】
次に、出力データ処理部１２０は、定規写真７２ｃに対して画面出力処理を行い（Ｓ１５０）、出力画面形式を記録部４０に記録させる（Ｓ１６０）。記録が完了すると、画像処理装置５００による処理が終了する（Ｓ１８０）。
【００５３】
図８は、定規８０の画像パターンの一例を示す。検出部１００がここに示した定規８０を検出する場合の検出方法を説明する。パターン条件記憶部１０２には、撮影する定規８０の画像パターンの特徴を定める画像パターン条件を記憶させておく。例えば、複数の異なる色相で配色された定規８０を撮影する場合、パターン条件記憶部１０２には、長尺状の四角形の形状、及び複数の異なる色相を有するという特徴を定規８０の画像パターン条件として記憶させておいてもよい。
【００５４】
本実施形態の場合、定規８０の第一色部８１と第三色部８３とには青色を配し、また第二色部８２には赤色を配している。この場合、まず検出部１００が工事写真７０から長尺状の四角形の形状を有する被写体を検出する。そして、長尺状の被写体が青色と赤色との配色を有するかを検出部１００が検出する。被写体が青色と赤色との配色を有していた場合、その被写体は画像パターン条件を満たした定規であると判断される。このように、パターン条件記憶部１０２に記憶させた画像パターン条件が、複数の異なる色相を交互に配色した定規８０の特徴を定めているので、検出部１００により注目部位を容易に検出することができる。
【００５５】
なお、工事写真において撮影される定規は、物の高さ等を測るために縦に支えられて撮影される場合と、物の幅等を測るために横向きに倒されて撮影される場合とがある。これらいずれの場合であっても検出部１００が定規８０を検出できるよう、パターン条件記憶部１０２には定規８０の特徴として縦長の形状と横長の形状との双方の条件を記憶させてもよい。
【００５６】
例えば、画像パターンの内側部分の明度と異なる明度を持つ輪郭線、及び所定の位置に突形部分を含む輪郭線を有するという特徴を定規８０の画像パターン条件として記憶させておいてもよい。本実施形態の場合、定規８０の内側部分に白色を配し、定規の輪郭線８４に黒色を配している。また、輪郭線８４は、内側方向へ突出する所定間隔の目盛り線を含む。さらに、輪郭線８４及び目盛り線は太線で形成される。パターン条件記憶部１０２に記憶させた画像パターン条件が、内側部分の明度と異なる明度を持つ輪郭線８４や、目盛り線を含む輪郭線８４を有する定規８０の特徴を定めているので、検出部１００により注目部位を容易に検出することができる。
【００５７】
図９は、黒板９０の画像パターンを示す図である。検出部１００がここに示した黒板９０を検出する場合の検出方法を説明する。パターン条件記憶部１０２には、撮影する黒板９０の画像パターンの特徴を定める画像パターン条件を記憶させておいてもよい。例えば、長方形の輪郭形状、画像パターンの内側部分の色相と異なる色相を有する輪郭線、及び所定の位置に突形部分を有する輪郭線を有するという特徴を黒板９０の画像パターン条件として記憶させておいてもよい。
【００５８】
図１０は、図７における撮影画像処理段階（Ｓ１０６）の詳細な動作を示すフローチャートである。生成部１０３は、検出された注目部位を含む領域を撮影画像６０から抽出する（Ｓ１３２）。次に、位置抽出部１１６は、注目領域６４の撮影画像６０における位置情報３１２を抽出し、記録部４０に記録させる（Ｓ１３４）。次に、生成部１０３は、注目部位を含む領域を拡大して部分画像６２を生成し、部分画像６２情報を記録部４０に記録させる（Ｓ１３６）。次に、文字検出部１１４が黒板写真７２ｄから文字情報３１６を検出し、記録部４０に記録させる（Ｓ１３８）。部分画像６２を全て生成するまで、Ｓ１３２からＳ１３８までの段階を繰り返す（Ｓ１４０）。
【００５９】
図１０を図４に示した工事写真に基づいて説明する。生成部１０３は、検出された黒板を含む領域７４ｄを工事写真７０から抽出する（Ｓ１３２）。次に、位置抽出部１１６は、黒板を含む領域７４ｄの工事写真７０における位置情報３１２を抽出し、記録部４０に記録させる（Ｓ１３４）。次に、生成部１０３は、注目部位を含む領域を拡大して黒板写真７２ｄを生成し、黒板写真７２情報を記録部４０に記録させる（Ｓ１３６）。次に、文字検出部１１４が黒板写真７２ｄから文字情報３１６を検出し、記録部４０に記録させる（Ｓ１３８）。検出された定規と黒板の全てから部分画像６２を生成するまで、Ｓ１３２からＳ１３８までの段階を繰り返す（Ｓ１４０）。
【００６０】
生成部１０３は、例えば工事写真７０から定規が含まれた領域を抽出する場合、定規の目盛りが読み易い程度の大きさの割合で生成部１０３に領域を抽出させてもよい。また例えば、工事写真７０から黒板が含まれた領域を抽出する場合、黒板以外の背景はさほど必要でないので、黒板が９割程度の大きさで含まれる領域を生成部１０３に抽出させてもよい。
【００６１】
図１１は、図７における出力データ処理段階（Ｓ１５０）の詳細な動作を示すフローチャートである。図４に基づいて説明する。まず、出力部５０が工事写真７０を表示し（Ｓ１５２）、さらに出力部５０が定規写真７２ａ〜７２ｃ、黒板写真７２ｄを表示する（Ｓ１５４）。次に、出力データ処理部１２０は、外枠を作成して黒板写真７２ｄに付与する。また他の形態としては、工事写真７０と黒板写真７２ｄを画像処理することによって、外枠を設けてもよい（Ｓ１５６）。
【００６２】
図１２は、本実施形態において出力部５０により出力された画像の他の一例を示す。本実施形態の基本的な構成及び動作は、図１乃至図３及び、図５乃至図１１に示される基本的な構成及び動作と同様であるが、全ての注目領域６４と部分画像６２ａ〜７２ｃ、黒板写真７２ｄに外枠が付与されている点で、図４に示された画像の例と異なる。また、図１２に示された画像においては、注目領域６４ａと定規写真６２ａ、注目領域６４ｂと定規写真６２ｂ、注目領域６４ｃと黒板写真７２ｄ、及び注目領域６４ｄと黒板写真７２ｄにそれぞれ同じ外枠が付与されている。
【００６３】
このように本実施形態においては、工事写真７０と定規写真７２ａ〜７２ｃ、黒板写真７２ｄにおける注目部位のすべての対応関係が示される。したがって、ラボシステムの操作者又は印刷物の閲覧者は工事写真７０と定規、黒板写真７２ａ〜ｄとの対応関係を容易に得ることができる。
【００６４】
次に、第２実施形態を説明する。本実施形態の基本的な構成及び動作は、図１から図３及び、図４から図１１に示される基本的な構成及び動作と同様である。
【００６５】
図１３は、本実施形態において出力部５０により出力された画像の一例を示す。本実施形態における工事写真７０と定規写真７２ａ〜７２ｃ、黒板写真７２ｄのモニタ画面上での表示形式は、第１実施形態と同様である。ただし、本実施形態では、所望の注目部位の対応関係を示す点で、第１実施形態と異なる。本実施形態では、注目部位選択部２５において注目領域６４ｃが選択されると、注目領域６４ｃと黒板写真７２ｄに同じ外枠が付与され、注目領域６４ｃと黒板写真７２ｄとの対応関係が示される。本実施形態では、この外枠を基に、ラボシステムの操作者又は印刷物の閲覧者は、所望の注目部位の対応関係を容易に確認することができる。
【００６６】
図１４は、第２実施形態における出力データ処理段階（Ｓ１５０）の詳細な動作を示すフローチャートである。まず、出力部５０が工事写真７０を表示し（Ｓ２２０）、さらに出力部５０が定規写真７２ａ〜７２ｃ、黒板写真７２ｄを表示する（Ｓ２２２）。次に、出力データ処理部１２０は、工事写真７０に含まれる注目領域６４と定規写真７２ａ〜７２ｃ、黒板写真７２ｄとに付与する全ての外枠を生成する（Ｓ２２４）。次に、注目部位選択部２５により、所望の注目部位を選択する（Ｓ２２６）。出力データ処理部１２０は、画像関連情報３２０を基に、工事写真７０における選択された注目部位を含む領域と、対応する部分画像６２とに同じ外枠を付与する（Ｓ２２８）。注目部位の選択が修了するまで、Ｓ２２６とＳ２２８の段階を繰り返す。これにより、ラボシステムの操作者又は印刷物の閲覧者は、所望の注目部位のみについての対応関係を取得することができる。
【００６７】
次に、第３の実施形態を説明する。本実施形態の基本的な構成及び動作は、図１乃至図３及び図５乃至図１１に示される基本的な構成及び動作と同様である。本実施形態は、定型化処理部１２２が定形書式を作成し、画面表示又は印刷物として出力部５０により出力される点で第１、第２の実施形態と異なる。また、定型化処理部１２２が作成した定形書式は、記録部４０によって記録されてもよい。
【００６８】
図１５は、定型化処理部１２２が生成した工事写真の定形書式６８の一例を示す。撮影画像６０の一例としての工事写真７０、部分画像６２の一例としての黒板写真７２ｄ及び定規写真６２ａが、この順で上から配置されており、その右に、黒板から抽出した文字６６ａ〜６６ｃが記載されている。
【００６９】
定形書式に埋め込まれた黒板写真７２ｄは、処理部２０における他の領域より暗い。そこで出力データ処理部１２０は、黒板写真７２ｄの明度を、工事写真７０全体の明度より明るくして出力部５０へ与える。これにより、閲覧者は、黒板写真７２ｄに記載された文字を容易に認識することができる。また、出力データ処理部１２０は、定形書式に埋め込まれた定規写真７２ａのエッジを強調する。これにより、目盛線及び数字を容易に認識することができる。
【００７０】
図１６は、第３実施形態における出力データ処理段階（Ｓ１５０）の詳細な動作を示すフローチャートである。図１６に記載の動作を図１５を参照して説明する。まず、定型化処理部１２２は、テンプレート記憶部１２４より、所定の定形書式を選択する（Ｓ３００）。出力データ処理部１２０は、記録部４０によって記録された工事写真７０を入力し（Ｓ３０２）、工事写真７０に対して、エッジ強調処理を行う（Ｓ３０４）。次に、定型化処理部１２２は、出力データ処理部１２０において処理された工事写真７０を入力し、定形書式に埋め込む（Ｓ３０６）。次に、出力データ処理部１２０は、記録部４０によって記録された定規写真７２ａと黒板写真７２ｄを入力し（Ｓ３０８）、定規写真７２ａに対して明度を変化させ、さらに黒板写真７２ｄに対してエッジ強調処理を施す（Ｓ３１０）。次に、定型化処理部１２２は、出力データ処理部１２０において処理された定規写真７２及び黒板写真７２ｄを入力し、定形書式に埋め込む（Ｓ３１２）。次に定型化処理部１２２は、画像関連情報３２０を利用して、関連する文字情報を抽出し（Ｓ３１４）、関連する文字を定形書式中の所定の場所に埋め込む（Ｓ３１６）。
【００７１】
このように、テンプレートを使用することで、多数の工事写真を効率的に管理できる。また、定規写真７２ａや黒板写真７２ｄに対して、画像処理が施してあるため、閲覧者は、工事の全体と、そこに含まれる黒板及び定規の画像とを同時に、かつ良好な状態で閲覧することができる。
【００７２】
次に、第４実施形態を説明する。本実施形態の基本的な構成及び動作は、図１乃至図１１に示される基本的な構成及び動作と同様である。本実施形態は、処理部２０としてパーソナルコンピュータやワークステーション等の電子計算機を用いる点で、第１乃至第３実施形態と異なる。
【００７３】
図１７は、第４実施形態における処理部２０のハードウェア構成図である。ＣＰＵ３０はＲＯＭ３２およびＲＡＭ３４に格納されたプログラムに基づいて動作する。入力装置３１を介して注目部位選択部２５からデータが入力される。ハードディスク３３は、画像等のデータ、及びＣＰＵ３０を動作させるプログラムを格納する。データ読取装置３５は記録媒体２００からデータ又はプログラムを読み取り、ＲＡＭ３４、ハードディスク３３及びＣＰＵ３０の少なくともいずれかに提供する。
【００７４】
ＣＰＵ３０が実行するソフトウエアの機能構成は、図２と同様である。これらのソフトウエアは、記録媒体２００に格納されて利用者に提供される。記録媒体２００に格納されたソフトウエアは圧縮されていても非圧縮であってもよい。ソフトウエアは記録媒体２００からハードディスク３３にインストールされ、ＲＡＭ３４に読み出されてＣＰＵ３０により実行される。
【００７５】
記録媒体２００に格納されて提供されるソフトウエア、即ちハードディスク３３にインストールされるソフトウェアは図２に示された画像処理装置５００と同様の機能構成で、検出部１００とパターン条件記憶部１０２と生成部１０３と位置抽出部１１６と文字検出部１１４と画像関連情報生成部１１２と出力データ処理部１２０と定型化処理部１２２とテンプレート記憶部１２４とをソフトウェアとして備える。
【００７６】
各モジュールの構成及び動作は、図３から図１６を用いて説明した処理部２０における各部の構成及び動作と同様であるので詳細な説明は省略する。
【００７７】
記録媒体２００には、本出願で説明した処理部２０の動作の一部又は全ての機能を格納することができる。また記録媒体２００には他の装置の動作の一部又は全ての機能を格納することができる。これらのプログラムは記録媒体から直接ＲＡＭ３４に読み出されて実行されてもよい。
【００７８】
記録媒体としては、記録媒体２００の他にも、ＤＶＤやＰＤ等の光学記録媒体、フロッピーディスクやミニディスク（ＭＤ）等の磁気記録媒体、ＭＯ等の光磁気記録媒体、テープ状記録媒体、不揮発性の半導体メモリカード等を用いることができる。上記のプログラムを格納した記録媒体は、画像処理装置５００を製造するためにのみ使用されるものであり、そのような記録媒体の業としての製造および販売等が本出願に基づく特許権の侵害を構成することは明らかである。
【００７９】
以上のように、第１乃至第３実施形態によれば、所定の画像パターン条件をパターン条件記憶部１０２に記憶させておき、検出部１００が画像パターンを満たす注目部位を検出し、生成部１０３が注目部位を含む注目領域６４を生成する。さらに、出力データ処理部１２０が、注目領域を明示した画面出力形式を生成し、出力部５０に出力させる。したがって、工事写真の場合、閲覧者は全体写真から容易に定規や黒板を検出することができる。
【００８０】
また、上記実施形態によれば、画像関連情報生成部１１２は、撮影画像６０、部分画像６２、位置情報３１２及び文字情報３１６のファイル名を含む画像関連情報３２０を生成するので、画像関連情報３２０を利用することで、撮影画像６０と部分画像６２との対応関係を容易に得ることができる。
【００８１】
また、上記実施形態によれば、出力データ処理部１２０は、所定の領域に対して画像の彩度、明度、色相のうち少なくともひとつに変化をあたえることができる。さらに、出力データ処理部１２０は、注目領域６４のうち、少なくとも一部にエッジ強調を施すことができる。さらに、出力データ処理部１２０は、撮影画像６０と部分画像６２とに同じ外枠を付与することにより、対応関係を示すことができる。
【００８２】
また、上記実施形態によれば、注目部位選択部２５を備えているので、閲覧者は所望の注目部位を選択して、所望の注目部位の情報を容易に得ることができる。
【００８３】
また、上記実施形態によれば、生成部１０３は注目部位が含まれる領域を拡大して部分画像６２を生成するので、例えば工事写真の場合、工事現場の全体写真から定規や黒板の部分拡大写真を自動的に生成することができる。
【００８４】
また、上記実施形態によれば、文字検出部１１４が部分画像６２から文字情報３１６を検出し、画像関連情報３２０において文字情報３１６のファイル名が撮影画像６０、部分画像６２のファイル名と共に含まれているため、撮影画像６０及び部分画像６２が撮影された状況に関する情報を容易に得ることができる。
【００８５】
また、上記実施形態によれば、入力部１０としてフイルムスキャナを用いることにより銀塩フイルム、絵画や印刷物等の画像を撮影画像６０として入力し、部分画像６２を生成することができる。
【００８６】
以上、本発明を実施の形態を用いて説明したが、本発明の技術的範囲は上記実施の形態に記載の範囲には限定されない。上記実施の形態に、多様な変更又は改良を加えることができることが当業者に明らかである。その様な変更又は改良を加えた形態も本発明の技術的範囲に含まれ得ることが、特許請求の範囲の記載から明らかである。
【００８７】
【発明の効果】
上記の説明から明らかなように、本発明によれば、撮影画像と部分画像との対応関係を容易に把握することができる。
【図面の簡単な説明】
【図１】ラボシステムの構成図である。
【図２】処理部２０の機能ブロック図である。
【図３】撮影画像６０、部分画像６２、位置情報３１２、文字情報３１６及び画像関連情報３２０の対応関係を示す。
【図４】第１実施形態において出力部５０により出力された画像を示す。
【図５】第１実施形態において出力部５０により出力された部分画像を示す。
【図６】第１実施形態において出力部５０により出力された部分画像を示す。
【図７】画像処理方法を示すフローチャートである。
【図８】定規８０の画像パターンを示す図である。
【図９】黒板９０の画像パターンを示す図である。
【図１０】図７における撮影画像処理段階（Ｓ１０６）の詳細な動作を示すフローチャートである。
【図１１】図７における出力データ処理段階（Ｓ１５０）の詳細な動作を示すフローチャートである。
【図１２】第１実施形態において出力部５０より出力された画像を示す。
【図１３】第２実施形態において出力部５０により出力された画像を示す。
【図１４】第２実施形態における出力データ処理段階（Ｓ１５０）の詳細な動作を示すフローチャートである。
【図１５】図１５第３実施形態において出力部５０により出力された画像を示す。
【図１６】第３実施形態における出力データ処理段階（Ｓ１５０）の詳細な動作を示すフローチャートである。
【図１７】第４実施形態における処理部２０のハードウェアの機能構成を示すブロック図である。
【符号の説明】
５００ 画像処理装置
１０   入力部
２０    処理部
２５    注目部位選択部
４０    記録部
５０    出力部
１００    検出部
１０２    パターン記憶部
１０３    生成部
１１６    位置抽出部
１１４    文字検出部
１１２    画像関連情報生成部
１２０    出力データ処理部
１２２    定型化処理部
１２４ テンプレート記憶部
８０    定規
８１    第一色
８２    第二色
８３    第三色
８４    輪郭線
９０    黒板
９１    輪郭線
９２    突形部分
９３    文字表示部
６０    撮影画像
６２    部分画像
６４    注目領域
３１２ 位置情報
３１６ 文字情報
３２０ 画像関連情報
７０   工事写真
７２   定規写真及び黒板写真
７４   定規及び黒板を示す領域
６６   黒板より抽出した文字
６８   工事写真の定形書式
３０    ＣＰＵ
３１    入力装置
３２    ＲＯＭ
３３    ハードディスク
３４    ＲＡＭ
３５    データ読みとり装置
２００ 記録媒体
１３０    検出モジュール
１３２    パターン記憶モジュール
１３４    生成モジュール
１３６    位置抽出モジュール
１３８    文字検出モジュール
１４０    関連情報精製モジュール
１４２    出力データ処理モジュール
１４４    定型化処理モジュール
【図１】
0004034012.tif 000002
【図２】
0004034012.tif 000003
【図３】
0004034012.tif 000004
【図４】
0004034012.tif 000005
【図５】
0004034012.tif 000006
【図６】
0004034012.tif 000007
【図７】
0004034012.tif 000008
【図８】
0004034012.tif 000009
【図９】
0004034012.tif 000010
【図１０】
0004034012.tif 000011
【図１１】
0004034012.tif 000012
【図１２】
0004034012.tif 000013
【図１３】
0004034012.tif 000014
【図１４】
0004034012.tif 000015
【図１５】
0004034012.tif 000016
【図１６】
0004034012.tif 000017
【図１７】
0004034012.tif 000018